(57)【要約】【課題】映像に埋め込まれた音楽のコピーをユーザが選択および／または購入できる方法、システム、および装置を提供する。【解決手段】ユーザは、映像に関連する音楽の完全バージョンならびにそのアーティストまたは他のアーティストによる他の音楽を即時に購入および取得することができる。映像の提示中、ユーザは、調査および／または購入の可能な対象メディアをユーザに知らせるインジケータを含む、対話型インタフェースを介してバックグラウンド音楽または関連製品に関する情報を要求することができる。【選択図】図１
2010532519.tif 000002
【特許請求の範囲】
【請求項１】
第１メディアのコピーを提供する、コンピュータを用いた方法であって、
第１メディアを第２メディアと共にユーザに対して提供している間に、ユーザが前記第１メディアに関する情報を要求できるようにする、要求許可工程と、
ユーザの要求に応答して、前記第１メディアに関する情報を前記ユーザに提供する工程であって、前記情報は前記第１メディアのコピーの購入を許可している、提供工程と、
前記第１メディアの少なくとも１つのコピーをユーザが購入できるようにする、第１メディアコピー購入許可工程とを備えた、第１メディアコピー提供方法。
【請求項２】
請求項１において、前記第１メディアがバックグラウンド音声データであり、前記第２メディアが映像データである、第１メディアコピー提供方法。
【請求項３】
請求項２において、前記音声データおよび前記映像データが、動画像エクスパートグループフォーマットに準拠している、第１メディアコピー提供方法。
【請求項４】
請求項１において、前記第１メディアおよび前記第２メディアが、コンピュータ読取り可能メモリに格納されている、第１メディアコピー提供方法。
【請求項５】
請求項４において、前記コンピュータ読取り可能メモリが、半導体メモリ、固体メモリ、フラッシュメモリ、磁気テープ、着脱可能なコンピュータディスケット、ランダムアクセスメモリ、読み出し専用メモリ、デジタル映像ディスク、コンパクトディスク、ＣＤ‐ＲＯＭ、ホログラフィックメモリ、またはハードディスクのうちのいずれかである、第１メディアコピー提供方法。
【請求項６】
請求項１において、前記第１メディアおよび前記第２メディアがネットワークを介して配信される、第１メディアコピー提供方法。
【請求項７】
請求項６において、前記ネットワークが、ケーブルネットワーク、衛星ネットワーク、コンピュータネットワーク、光ネットワーク、および無線ネットワークのうちの任意の１つまたは任意の組み合わせである、第１メディアコピー提供方法。
【請求項８】
請求項１において、前記提供工程が、前記第１メディアのコピーが購入可能であることの表示のみを提供する工程を有する、第１メディアコピー提供方法。
【請求項９】
請求項１において、前記提供工程が、前記第１メディアのコピーの説明および価格の表示を提供する方式で、前記第１メディアに関する情報をユーザに対して表示する工程を有する、第１メディアコピー提供方法。
【請求項１０】
請求項１において、前記提供工程が、推奨情報をユーザに提供する工程を有する、第１メディアコピー提供方法。
【請求項１１】
請求項１０において、前記推奨情報は第３メディアに関する情報を含み、前記第３メディアは前記第１メディアに関連しており、さらに、
前記第３メディアのコピーをユーザが購入できるようにする、第３メディアコピー購入許可工程を備えた、第１メディアコピー提供方法。
【請求項１２】
請求項１１において、前記第３メディアが、音声データ、映像データ、コンサートチケット、書籍、雑誌の定期購読、および音楽クラブ加入のうちのいずれかである、第１メディアコピー提供方法。
【請求項１３】
請求項１１において、前記第３メディアコピー購入許可工程が、前記第３メディアの前記コピーを再生リストに追加する工程を有する、第１メディアコピー提供方法。
【請求項１４】
請求項１１において、前記第３メディアコピー購入許可工程が、前記第３メディアの前記コピーのユーザ装置へのダウンロードを可能にする工程を有する、第１メディアコピー提供方法。
【請求項１５】
請求項１４において、前記ユーザ装置が、携帯電話、移動通信装置、デジタルメディアプレーヤ、コンピュータ、およびラップトップのうちの任意の１つまたは任意の組み合わせである、第１メディアコピー提供方法。
【請求項１６】
請求項１において、前記第１メディアコピー購入許可工程が、前記第１メディアの前記コピーを再生リストに追加する工程を有する、第１メディアコピー提供方法。
【請求項１７】
請求項１において、前記第１メディアコピー購入許可工程が、前記第１メディアの前記コピーのユーザ装置へのダウンロードを可能にする工程を有する、第１メディアコピー提供方法。
【請求項１８】
請求項１７において、前記ユーザ装置が、携帯電話、移動通信装置、デジタルメディアプレーヤ、コンピュータ、およびラップトップのうちの任意の１つまたは任意の組み合わせである、第１メディアコピー提供方法。
【請求項１９】
第１メディアのコピーを提供する、コンピュータを用いた装置であって、
第１メディアおよびこの第１メディアに関連する第２メディアを提示するディスプレイユニット上に提供されるインジケータであって、前記第１メディアに関する情報が利用可能であることをユーザに示すインジケータと、
コントローラを介して前記インジケータとのユーザの相互作用を可能にするユーザインタフェースであって、前記インジケータとのユーザの相互作用に応答して、前記第１メディアのコピーをユーザが購入できるようにするユーザインタフェースとを備えた、第１メディアコピー提供装置。
【請求項２０】
請求項１９において、前記第１メディアがバックグラウンド音声データであり、前記第２メディアが映像データである、第１メディアコピー提供装置。
【請求項２１】
請求項２０において、前記音声データおよび前記映像データが、動画像エクスパートグループフォーマットに準拠している、第１メディアコピー提供装置。
【請求項２２】
請求項１９において、前記第１メディアおよび前記第２メディアが前記ディスプレイユニットに接続されたコンピュータ読取り可能メモリに格納されており、
前記コンピュータ読取り可能メモリが、半導体メモリ、固体メモリ、フラッシュメモリ、磁気テープ、着脱可能なコンピュータディスケット、ランダムアクセスメモリ、読み出し専用メモリ、デジタル映像ディスク、コンパクトディスク、ＣＤ‐ＲＯＭ、ホログラフィックメモリ、またはハードディスクのうちのいずれかである、第１メディアコピー提供装置。
【請求項２３】
請求項１９において、前記コントローラは、前記ディスプレイユニットのリモートコントローラまたは他のコントローラ、携帯電話、移動通信装置、デジタルプロセッサ入力装置、およびメディアプレーヤコントローラのうちのいずれかである、第１メディアコピー提供装置。
【請求項２４】
請求項１９において、前記第１メディアおよび前記第２メディアが、前記ディスプレイユニットに接続されたネットワークを介して配信される、第１メディアコピー提供装置。
【請求項２５】
請求項２３において、前記ネットワークが、ケーブルネットワーク、衛星ネットワーク、コンピュータネットワーク、光ネットワーク、および無線ネットワークのうちの任意の１つまたは任意の組み合わせである、第１メディアコピー提供装置。
【請求項２６】
請求項１９において、前記第１メディアに関する前記情報が、前記第１メディアのコピーが購入可能であることの表示のみである、第１メディアコピー提供装置。
【請求項２７】
請求項１９において、前記第１メディアに関する前記情報が、前記第１メディアのコピーの説明および価格を含む、第１メディアコピー提供装置。
【請求項２８】
請求項１９において、前記第１メディアに関する前記情報が、前記第１メディアに関する推奨情報を含む、第１メディアコピー提供装置。
【請求項２９】
請求項２８において、前記第１メディアに関する前記推奨情報は第３メディアに関する情報を含み、前記第３メディアは前記第１メディアに関連しており、
前記ユーザインタフェースが、さらに、前記第３メディアのコピーをユーザが購入できるようにする、第１メディアコピー提供装置。
【請求項３０】
請求項２９において、前記第３メディアが、音声データ、映像データ、コンサートチケット、書籍、雑誌の定期購読、および音楽クラブ加入のうちのいずれかである、第１メディアコピー提供装置。
【請求項３１】
請求項２９において、前記ユーザインタフェースが、さらに、前記第３メディアのコピーを再生リストに追加するように構成されている、第１メディアコピー提供装置。
【請求項３２】
請求項２９において、前記ユーザインタフェースが、さらに、前記第３メディアのコピーをユーザ装置にダウンロードするように構成されている、第１メディアコピー提供装置。
【請求項３３】
請求項３２において、前記ユーザ装置が、携帯電話、移動通信装置、デジタルメディアプレーヤ、コンピュータ、およびラップトップのうちの任意の１つまたは任意の組み合わせである、第１メディアコピー提供装置。
【請求項３４】
請求項１９において、前記ユーザインタフェースが、さらに、前記第１メディアのコピーを再生リストに追加するように構成されている、第１メディアコピー提供装置。
【請求項３５】
請求項２０において、前記ユーザインタフェースが、さらに、前記第１メディアのコピーをユーザ装置にダウンロードするように構成されている、第１メディアコピー提供装置。
【請求項３６】
請求項３５において、前記ユーザ装置が、携帯電話、移動通信装置、デジタルメディアプレーヤ、コンピュータ、およびラップトップのうちの任意の１つまたは任意の組み合わせである、第１メディアコピー提供装置。
【請求項３７】
メディアを配信する方法であって、
メディア作品をユーザに提供するサービスに関して、ユーザのユーザアカウントを管理する、管理工程と、
対象メディアを、ユーザに対して提供されている別のメディアと共に提供する、提供工程と、
前記別のメディアを提示している間に、前記対象メディアを前記ユーザが選択できるようにする、対象メディア選択許可工程と、
前記対象メディアの前記選択に応じて前記ユーザアカウントを更新する、更新工程とを備え、前記各工程がコンピュータで実現される、メディア配信方法。
【請求項３８】
請求項３７において、前記管理工程が、ユーザにパスワードを提供する工程を有し、
前記対象メディア選択許可工程が、前記パスワードを用いて前記選択を許可する工程を有する、メディア配信方法。
【請求項３９】
請求項３７において、前記管理工程が、複数のユーザプロファイルを備えるユーザアカウントを管理する工程を有する、メディア配信方法。
【請求項４０】
請求項３７において、前記対象メディアがバックグラウンド音声データであり、前記別のメディアが映像データである、メディア配信方法。
【請求項４１】
請求項４０において、前記音声データおよび前記映像データが、動画像エクスパートグループフォーマットに準拠している、メディア配信方法。
【請求項４２】
請求項３７において、前記対象メディアおよび前記別のメディアが、コンピュータ読取り可能メモリを介して提供され、
前記コンピュータ読取り可能メモリが、半導体メモリ、固体メモリ、フラッシュメモリ、磁気テープ、着脱可能なコンピュータディスケット、ランダムアクセスメモリ、読み出し専用メモリ、デジタル映像ディスク、コンパクトディスク、ＣＤ‐ＲＯＭ、ホログラフィックメモリ、またはハードディスクのうちのいずれかである、メディア配信方法。
【請求項４３】
請求項３７において、前記対象メディアおよび前記別のメディアがネットワークを介して配信され、
前記ネットワークが、ケーブルネットワーク、衛星ネットワーク、コンピュータネットワーク、光ネットワーク、または無線ネットワークのうちのいずれかである、メディア配信方法。
【請求項４４】
請求項３７において、前記別のメディアを提示している間に、前記対象メディア選択許可工程が、前記対象メディアに関する情報をユーザが受信できるようにする工程を有し、
前記対象メディアに関する前記情報が、前記対象メディアのコピーの説明および価格を含む、メディア配信方法。
【請求項４５】
請求項４４において、前記対象メディアに関する前記情報が、さらに、前記対象メディアに関する推奨情報を含む、メディア配信方法。
【請求項４６】
請求項４４において、前記対象メディアに関する前記情報が、第３メディアに関する情報を含み、前記第３メディアが、音声データ、映像データ、コンサートチケット、書籍、雑誌の定期購読、および音楽クラブ加入のうちのいずれかであり、さらに、
前記第３メディアを前記ユーザが選択できるようにする、第３メディア選択許可工程と、
前記第３メディアの前記選択に応じて前記ユーザアカウントを更新する、更新工程とを備えた、メディア配信方法。
【請求項４７】
請求項４６において、前記第３メディアの前記選択に応じて前記ユーザアカウントを更新する更新工程が、前記第３メディアのコピーを再生リストに追加する工程を有する、メディア配信方法。
【請求項４８】
請求項４６において、前記第３メディアの前記選択に応じて前記ユーザアカウントを更新する更新工程が、前記第３メディアのコピーのユーザ装置へのダウンロードを可能にする工程を有する、メディア配信方法。
【請求項４９】
請求項４８において、前記ユーザ装置が、携帯電話、移動通信装置、デジタルメディアプレーヤ、コンピュータ、およびラップトップのうちの任意の１つまたは任意の組み合わせである、メディア配信方法。
【請求項５０】
請求項３７において、前記対象メディアの前記選択に応じて前記ユーザアカウントを更新する更新工程が、前記対象メディアのコピーを再生リストに追加する工程を有する、メディア配信方法。
【請求項５１】
請求項３７において、前記対象メディアの前記選択に応じて前記ユーザアカウントを更新する更新工程が、前記第１メディアのコピーのユーザ装置へのダウンロードを可能にする工程を有する、メディア配信方法。
【請求項５２】
請求項５１において、前記ユーザ装置が、携帯電話、移動通信装置、デジタルメディアプレーヤ、コンピュータ、およびラップトップのうちの任意の１つまたは任意の組み合わせである、メディア配信方法。
【請求項５３】
少なくとも１つのユーザアカウントを管理する管理サーバと、
対象メディアおよび別のメディアを共にディスプレイユニットを介してユーザに提供するメディアサーバであって、このメディアサーバは前記ディスプレイユニットと通信して前記提供を行うものであり、前記ディスプレイユニットは、前記別のメディアを提示している間に、前記対象メディアのコピーをユーザが選択できる形式で前記対象メディアを前記別のメディアと共に前記ユーザに提示するものである、メディサーバとを備え、
前記管理サーバが、さらに、前記ユーザの選択に応じて前記ユーザアカウントを更新するように構成されている、メディア配信システム
【請求項５４】
請求項５３において、前記管理サーバは、さらに、ユーザにパスワードを提供するように構成されており、
ユーザの選択は前記パスワードを使用して許可される、メディア配信システム。
【請求項５５】
請求項５３において、前記管理サーバは、さらに、複数のユーザプロファイルを備えるユーザアカウントを管理するように構成されている、メディア配信システム。
【請求項５６】
請求項５３において、前記対象メディアがバックグラウンド音声データであり、前記別のメディアが映像データである、メディア配信システム。
【請求項５７】
請求項５６において、前記音声データおよび前記映像データが、動画像エクスパートグループフォーマットに準拠している、メディア配信システム。
【請求項５８】
請求項５３において、前記メディアサーバが、さらに、前記対象メディアに関する情報をユーザに提供するように構成されており、前記情報は、前記対象メディアのコピーの説明および価格を含む、メディア配信システム。
【請求項５９】
請求項５３において、さらに、
前記対象メディアに関する推奨情報をユーザに提供するように構成された推奨エンジンを備えた、メディア配信システム。
【請求項６０】
請求項５９において、前記推奨情報は第３メディアの表示を含み、前記第３メディアは、音声データ、映像データ、コンサートチケット、書籍、雑誌の定期購読、および音楽クラブ加入のうちのいずれかである、メディア配信システム。
【請求項６１】
請求項６０において、前記管理サーバが、さらに、前記第３メディアのユーザ選択に応じて、前記第３メディアのコピーを前記ユーザアカウントに対応する再生リストに追加するように構成されている、メディア配信システム。
【請求項６２】
請求項６０において、前記管理サーバが、さらに、前記第３メディアのコピーをユーザ装置にダウンロードさせるように構成されている、メディア配信システム。
【請求項６３】
請求項６２において、前記ユーザ装置が、携帯電話、移動通信装置、デジタルメディアプレーヤ、コンピュータ、およびラップトップのうちの任意の１つまたは任意の組み合わせである、メディア配信システム。
【請求項６４】
請求項５３において、前記管理サーバが、さらに、前記対象メディアのユーザ選択に応じて、前記対象メディアのコピーを前記ユーザアカウントに対応する再生リストに追加するように構成されている、メディア配信システム。
【請求項６５】
請求項５３において、前記管理サーバが、さらに、ユーザ選択に応じて、前記対象メディアのコピーをユーザ装置にダウンロードさせるように構成されている、メディア配信システム。
【請求項６６】
請求項６５において、前記ユーザ装置が、携帯電話、移動通信装置、デジタルメディアプレーヤ、コンピュータ、およびラップトップのうちの任意の１つまたは任意の組み合わせである、メディア配信システム。
【請求項６７】
音声データをタグ付けする方法であって、
音声データから構成されている音声作品の少なくともアーティスト情報に基づいて識別子を提供する工程と、
前記音声データと前記識別子とを有効に結合する工程と、
前記音声作品の転送中に前記音声データ内の識別子へのアクセスを提供する工程とを備えた、音声データタグ付け方法。
【請求項６８】
請求項６７において、前記音声作品が、第２メディアにおいて流れるバックグラウンド音楽である、音声データタグ付け方法。
【請求項６９】
請求項６８において、前記音声データは動画像エクスパートグループフォーマットに準拠しており、前記第２メディアが映像データである、音声データタグ付け方法。
【請求項７０】
音声データをタグ付けする装置であって、
少なくとも第１メディアを格納するように構成されたメモリと、
前記メモリの一部と識別子とを有効に結合する第１プロセスであって、前記識別子は前記第１メディアのアーティスト情報に基づいている、第１プロセスと、
前記第１メディアの転送中に前記メモリの前記一部における前記識別子にアクセスできるようにする第２プロセスとを備えた、音声データタグ付け装置。
【請求項７１】
請求項７０において、前記第１メディアが、第２メディアにおいて流れるバックグラウンド音楽を構成している、音声データタグ付け装置。
【請求項７２】
請求項７１において、前記音声データが動画像エクスパートグループフォーマットに準拠しており、前記第２メディアは映像データである、音声データタグ付け装置。
【請求項７３】
ユーザインタフェースを作動するように構成されたエンドユーザユニットを備え、
前記ユーザインタフェースは、ユーザに対して提供されている別のメディアを通して対象メディアのユーザ選択を可能にするものであり、これにより前記対象メディアのユーザ選択が、前記別のメディアをユーザに対して提供している間になされる、制御システム。
【請求項７４】
請求項７３において、前記別のメディアは映像作品であり、前記対象メディアは前記映像作品のバックグラウンド音声部分である、エンドユーザユニット。
【請求項７５】
請求項７３において、前記別のメディアは対応するバックグラウンド音声を有する映像作品であり、前記対象メディアは、前記対応するバックグラウンド音声と共通する、アーティスト、音楽グループ名、歌の題名、および音楽ジャンルのいずれかを有する、エンドユーザユニット。
【請求項７６】
請求項７５において、前記対象メディアが、音声データのコピー、映像データのコピー、コンサートチケット、書籍、雑誌の定期購読、および音楽クラブ加入のうちのいずれかである、エンドユーザユニット。
【請求項７７】
請求項７３において、前記エンドユーザユニットが、携帯電話、デジタル音楽プレーヤ、リモートコントローラ、コンピュータ入力装置、および移動通信装置のうちのいずれかである、エンドユーザユニット。
【請求項７８】
請求項７３において、前記別のメディアは、携帯電話、デジタルメディアプレーヤ、テレビジョン、コンピュータディスプレイ、およびデジタルフレームのうちのいずれかでユーザに対して提供される、エンドユーザユニット。
【発明の詳細な説明】
【関連出願】
【０００１】
本願は、2007年6月29日出願の米国仮特許出願第60/937,776号および2007年10月26日出願の米国仮特許出願第61/000,592号の利益を主張する。これら仮出願の全開示内容は、参照により本明細書に引用したものとする。
【技術分野】
【０００２】
本発明は、映像における歌のようなメディアの購入を容易にする方法に関する。
【背景技術】
【０００３】
音楽は多くの場合様々な映像に埋め込まれ、これら映像には、コマーシャル、テレビ番組、テレビ（ＴＶ）で放送されている映画、ＤＶＤ（デジタルビデオディスク）、およびインターネットのようなコンピュータネットワーク上のストリーミング映像が含まれる。現在では、映像を見る人には、所定の映像の上映中に演奏されている特定の歌を作ったアーティストを即時かつ容易につきとめる方法がなく、まして当該の歌のコピーを購入する方法がない。コンピュータネットワーク検索サイトを利用して歌およびアーティスト情報を見出すことが試みられている。検索が成功した後に、オンラインショップまたは小売店を通して歌またはアルバムが購入される。
【発明の概要】
【発明が解決しようとする課題】
【０００４】
残念ながら、多くのコマーシャル、テレビ番組、映画およびストリーミング映像は歌の簡略化されたバージョンであるため、特定が難しい。さらに、これらの映像は、歌を明らかにすることはめったになく、歌のコピーを購入することを不可能ではないにしても困難にしている。現在、ストリーミング映像（すなわち、インターネットのようなネットワークを介してリアルタイムで転送される映像）は多くの場合、版権所有者の許可なく使用される音楽が目立ち、版権所有者の収益を奪い、さらに歌のコピーを特定して購入することをより困難にしている。
【課題を解決するための手段】
【０００５】
本発明は、従来技術の問題点に対する解決策を提供する。
【０００６】
本発明の例示的な実施形態における方法または装置は第１メディア（例えば、音声すなわち音楽）をユーザに提示し、この第１メディアは第２メディア（例えば、映像、画像、グラフィックスまたはテキスト）に関連つまり関係している。ユーザは次に第１メディアに関する情報を要求する。その要求に応答して、本発明のプロセスは、第１メディアに関する情報をユーザに提供する。この情報は、第１メディアのコピーの購入を考慮している、つまり購入に対処できるようになっている。ユーザが第１メディアのコピーを購入することを決定すると、プロセスはユーザにコピーを販売する。一実施形態では、第１メディアは音声データ（例えば音楽）であり、第２メディアは映像データ（グラフィック画像および／またはビデオ画像のデータを含む）である。さらに、音声データおよび映像データはＭＰＥＧ（動画像エクスパートグループ（Moving Picture Experts Group））フォーマットに準拠していてもよい。
【０００７】
具体的には、本発明によって、消費者はテレビ、コンピュータネットワーク（例えばインターネット）、映画館、ＤＶＤ（デジタルビデオディスク）プレーヤまたは移動通信装置（例えば、適切に使用可能な携帯電話）を介して配信される、映像に埋め込まれた音楽を購入してダウンロードすることができる。好ましい実施形態は、関係型データベース駆動ソフトウェアに基づいている。ユーザインタフェースによって、ユーザは以下のように埋め込まれた音楽を選択および／または購入することができる。様々な異なる映像のいずれかに埋め込まれた音楽が流れる（再生される）と、グレーの音符または整形されたステーション識別オーバーレイグラフィックス（バグ）のようなインジケータ（指標）が、ユーザが閲覧する画面表示の角部に表示される。リモートコントローラに組み込まれる場合、画面表示上の音符記号に一致／対応するボタンまたは類似のユーザコマンド手段が存在する。ユーザがボタン（コマンド）を操作すると、本発明のシステムは、少なくとも２つのオプション、すなわち（１）最も新しくつまり最後に聴いた歌を購入するためのオプションと、（２）完全な選択メニューを閲覧するためのオプションとを提供する。この選択メニューによって、ユーザは情報をナビゲートつまり移動し、映像の他の歌、同一アーティストによる他の歌、関連する音楽グループによる他の歌、雑誌の定期購読、音楽クラブ加入、書籍、映画などを購入することができる。
【０００８】
本発明の例示的な実施形態における別の方法または装置は、ユーザが映像に関連する音楽を購入するための推奨情報を提案するメディア推奨エンジンを提供する。具体的には、推奨エンジンによって、映像を見ている閲覧者は、歌、１つ以上のライブ公演についてのチケットまたは映像に関連付けられている、つまり関係する、他のアイテム／サービスを、即時に購入できる。閲覧者は、例えばｍｐ３ファイルおよび携帯電話の呼び出し音などの種々のフォーマットの歌／音楽のバージョンに加えて、映像で再生する歌／音楽の短縮バージョンまたは完全バージョンを購入できることが理解されるべきである。
【０００９】
本発明のさらに別の実施形態は、第１メディアに関連する第３メディアをユーザに提供する。第１メディアが歌である場合、第３メディアは同一アーティストによる追加の歌、同一アーティストのコンサートチケット、類似のアーティストによる歌、類似のアーティストのコンサートチケットまたは他のアイテムおよびサービスであってもよい。例示の実施形態では、本発明のプロセスは、ユーザが第１メディアに関する情報を要求した後、ユーザに第３メディアに関する情報を提供する。第３メディアに関する情報を提供する際に、本発明のプロセスは第３メディアのコピーの購入を考慮する、つまり購入に対処している。
【００１０】
別の実施形態では、装置または方法は、第２メディア（例えば、コマーシャル）に関連する第１メディア（例えば、コマーシャルソングの一部）をユーザに提示し、第２メディアに関連する第１メディアを即時に（例えばリアルタイムで）購入するキュー（合図）をユーザに提供する。例えば、ユーザが音声バックグラウンドにおいて再生しているミュージッククリップを伴うコマーシャルを見ているとき、システムは、ミュージッククリップの完全バージョンのコピーが即時に購入可能であることを示すキュー（例えば、記号または他のインジケータ（指標））をユーザに提示する。関連情報を全く再調査せずに、ユーザは、場合によっては、以前に入力した支払い／課金情報を用いて、または加入料を支払っていることもしくは他の取り決めに基づいて、対象クリップの完全バージョンのコピーを購入し、購入情報を受信することができる。いくつかの実施形態では、システムはまた、追加の歌、コンサートチケット、雑誌の定期購読、音楽クラブ加入などの音楽クリップまたは音楽クリップのアーティストに関する推奨アイテムをユーザに提示する。
【００１１】
さらなる実施形態は、第１メディアおよび第３メディアの購入されたコピーを受信するユーザ装置を提供する。いくつかの実施形態では、ユーザ装置は第１メディアのコピーおよび／または第３メディアのコピーをダウンロードして取引を完了する。特定の実施形態では、ユーザ装置は携帯電話または他の移動通信装置であり、第３メディアは音声データ、映像データなどである。あるいは、システムは、第１メディアのコピーもしくは第３メディアのコピーまたはこれら両方をユーザの再生リストに追加して取引を終了してもよい。
【００１２】
追加の実施形態は、加入サービスに従って第１メディアのコピーを配信する方法またはシステムを提供する。ユーザは、アカウントの使用許可を与えられた各ユーザに対してアカウントを作成する。そして、アカウントは場合によってはいくつかの各ユーザプロファイルを備える。管理サーバはユーザアカウントを維持し、アカウント、ならびに課金情報、出荷情報、ユーザ名およびパスワードなどのプロファイル情報を収集してまとめる。ユーザは、第２メディアのコピーに関連して提示された第１メディアのコピーを購入するときに（例えば映画のサウンドトラックの歌のコピーを購入するときに）、アカウントにアクセスする。管理サーバは、場合によっては暗証番号（ＰＩＮ）つまりパスワードを使用して取引を許可し、場合によっては再生リストに第１メディアのコピーを追加することによって、それに応じてユーザアカウントを更新する。管理サーバは、ユーザが第１メディアのコピーをメディアサーバから携帯電話のようなユーザ装置にダウンロードする許可を与えることにより、取引を完了してもよい。さらに、管理サーバは、ユーザの好みを追跡し、ユーザが第１メディアを選択するときにユーザに関連アイテムを提示するように、推奨エンジンと協働して作用してもよい。
【００１３】
さらに別の実施形態では、プロセスまたは装置は、音声データ中の音楽部分についてのアーティスト情報を識別する。アーティスト情報を識別した後、プロセスは、アーティスト情報へのポインタすなわちリンク（ハイパーリンク）で音声データにタグ付けする。音声データがタグ付けされると、プロセスは、ユーザに対してアーティスト情報を適時に提示するように、音声データの転送中にアーティスト情報にアクセスできる。
【００１４】
上記内容は、添付図面（異なる図であっても全体を通して同一参照符号が同一部品を指す）に示すように、本発明の例示的な実施形態の以下のより詳細な説明から明らかとなるであろう。図面は必ずしも縮尺通りではなく、本発明の実施形態を示すことに重点を置いている。
【図面の簡単な説明】
【００１５】
【図１】本発明の実施形態による、映像および音声のプレゼンテーションを伴うメディアディスプレイシステムの概略図である。
【図２】本発明による音声データを購入するためのユーザメニューの画面ビューを示すディスプレイシステムの概略図である。
【図３】本発明の一実施形態における、ＴＶ番組を見ている間に歌のコピーを購入するユーザにより見られるいくつかの画面ビューの概略図である。
【図４】本発明による、第２メディアに関連して提示される第１メディアのコピーを配信するシステムの例示的な実施形態のブロック図である。
【図５】本発明による、第２メディアに関連して提示される第１メディアのコピーを配信するシステムの例示的な実施形態のブロック図である。
【図６】音声データのコピーを提供する本発明のプロセスの例示的な実施形態を示すフローチャートである。
【図７Ａ】図１〜５の環境において採用されるデータフォーマットのブロック図である。
【図７Ｂ】図１〜５の環境において採用されるデータフォーマットのブロック図である。
【図８】本発明の音声データタグ付けプロセスのフローチャートである。
【図９】本発明の音声データタグ付け装置の例示的な実施形態のブロック図である。
【発明を実施するための形態】
【００１６】
本発明の例示的な実施形態を以下に説明する。
【００１７】
本発明の例示的な実施形態は、バックグラウンド音楽などのプログラムサウンドトラックに含まれるメディア作品を、映像視聴者が購入できるようにすることにより、任意のテレビプログラム（再生ＴＶ番組および広告などのメディア作品）を機能拡張する。本実施形態は、状況依存の購入を可能にすることによって、視聴者には相互作用的な体験を生み出し、コンテンツ作成者、スタジオおよび放送会社には新しい収益を生み出す。すなわち、視聴者は、ＴＶのプログラムのバックグラウンドで再生されている歌のコピーを即時に購入できる。
【００１８】
提供されるプログラムは「第２メディア」または「別のメディア」と称され、プログラムのバックグラウンドにおける歌もしくは音楽、またはサウンドトラックの他の部分は、「第１メディア」または「対象メディア」と称される。「第１／対象メディア」は、任意の映像データおよび音声データなどのメディア／マルチメディアデータから構成されてもよく、「第２／別のメディア」は、映像データ、音声データ、メディア／マルチメディアデータなどを含んでもよい。さらに、各メディアは、フォアグラウンドまたはバックグラウンドなどの作品全体に関係のあるものであってもよい。同様に「第３メディア」は、本発明の限定されない実施形態の以下の説明において明らかになるように、音声データ、映像データ、他のメディア／マルチメディアデータ、コンサートチケット、書籍、雑誌の定期購読、音楽クラブの加入などである。
【００１９】
一実施形態において、本発明は、映像（第２メディア）のバックグラウンドで再生する音楽または他のメディア（第１メディア）の開始時間および終了時間を識別する。第１識別時間（例えば開始時間）において、本発明のプロセスは、ユーザに対して、音符または整形されたステーションバグ（ロゴ）などのアイコンを表示する。本発明のプロセスは第２識別時間（例えば終了時間）において表示からアイコンを除去する。好ましくは、ソフトウェアがアイコン表示を制御する。アイコンが表示されている間、本発明のプロセスにより、ユーザは、再生されているバックグラウンド音楽（第１メディア）のコピーを購入できる。さらに、本発明のプロセスにより、ユーザはまた、アーティスト名や歌の題名などを含む、再生されている音楽（第１メディア）に関する情報を閲覧することができる。
【００２０】
本発明の他の実施形態では、アイコンの代わりに、状況依存の購入の運用を表すために、記号、インジケータまたは同様の表示体を採用してもよい。さらに他の実施形態では、状況依存の購入の運用を表すために、携帯電話を鳴らすか振動させることによって発信される信号のような可聴信号または触知信号を採用してもよい。
【００２１】
一実施形態では、本発明を採用するシステムは、映像（第２メディア）において再生する曲（第１メディア）のアーティスト名、歌の題名および／またはアルバム名を用いて、固有の識別子を生成する。固有の識別子は、再生するメディア作品（第１メディア）を特定つまり識別するだけでなく、映像（第２メディア）の視聴者が追加のメディア作品（第３メディア）を購入できるようにしながら、１つ以上の追加のメディア作品（例えば、同一アーティストによる音声データ、同一アーティストによる今後の公演についてのコンサートチケット、類似のアーティストつまり似たようなアーティストによるまたは類似のジャンルにおける音声データ、サウンドトラック情報、書籍、雑誌の定期購読、音楽クラブの加入など）と関連付けられる。
【００２２】
＜ＴＶのシステムに対するユーザインタフェースおよび装置＞
図１は、本発明の実施形態による、映像および音声のプレゼンテーション（提示）を表現（提供）する、メディアディスプレイシステム１００を示す。一実施形態では、ユーザは、スピーカ１１２（または他の音声装置）によって伝達される第１メディア（例えばバックグラウンド音楽１１０）を体験する。第１メディア１１０は、ディスプレイシステム１０１に表示されるか、またはディスプレイシステム１０１を通して配信される第２メディア（例えば映像１２０）と関係している。例として、テレビ（例えば、ディスプレイシステム１０１）は、映画（例えば映像１２０）を再生し、映画の一部分の間に対応するサウンドトラック（例えば音楽１１０）を含む。テレビを使用する例は、単に限定されない例示のためのものである。本発明の原理はまた、ケーブルネットワーク、コンピュータネットワーク（例えばインターネット）、衛星ネットワークまたは光（例えば光ファイバ）ネットワークなどの伝送サービスに結合された、コンピュータのようなディスプレイモニタを利用することを採用してもよい。
【００２３】
動作中において、ディスプレイシステム１０１が映像１２０の画面（テレビ画面）を表示している際に、バックグラウンド音楽（対象の音声トラック部分）１１０はスピーカ１１２を通して再生される（流される）。特定の実施形態では、映像および音声のメディアが、ケーブルネットワークからユーザの自宅に転送されるか、またはＤＶＤプレーヤからデコーダ１６０に受け渡しされる。デコーダ１６０は、音声メディアが識別子でタグ付けされているか否かを判定する。識別子が存在する場合、デコーダ１６０は、映像１２０が表示されている間に、ディスプレイシステム１０１の画面内に情報インジケータ１３０を配置するように、ディスプレイシステム１０１に通知する。ディスプレイシステム１０１で映像１２０を見ているユーザは、情報インジケータ１３０に気付き、情報が、ディスプレイシステム１０１を通して再生しているバックグラウンド音声メディア１１０に関して利用可能であることを認識する。
【００２４】
情報インジケータ１３０に気付いた後、ユーザは、無線リモートコントローラ１８０のようなコントローラを用いてデコーダ１６０に適切なユーザコマンド１８４を送ることによって、バックグラウンド音声メディア１１０に関する追加情報を得ることができる。ユーザは、リモートコントローラ１８０上の対応する情報ボタン１８２を押すか、または他の操作をすることによって、ユーザコマンド１８４をデコーダ１６０上のリモート制御センサ１６２に転送する。典型的には、リモートコントローラ１８０は他のボタン１８３を有し、これらボタンによってユーザは他の操作を許可すなわち実行できる。
【００２５】
一実施形態では、リモートコントローラ１８０は近赤外ダイオードを用いて、デコーダ１６０のリモート制御センサ１６２を照射する光線を放射する。これにより、ユーザコマンド１８４が生成され、次に、デコーダ１６０がこれに応答して新しい表示を開始する。近赤外ダイオード制御を用いることは、ユーザコマンド１８４を生成および転送するための単なる一例に過ぎない。ユーザコマンド１８４を転送する（開始する）のに多くの種々の方法を採用できる。
【００２６】
次に、デコーダ１６０は、入力信号を復調するか、または入力信号に処理を施す。そして、エラー訂正を実行し、暗号化されている場合は復調データを復号化する。デコーダ１６０は、必要に応じて、復調音声信号をデジタルデータまたはアナログデータに当てはめ、その信号を、デジタル形式またはアナログ形式のいずれかの出力映像および音声を生成するように、復号化する。動作中、デコーダ１６０はユーザコマンド１８４を受け取り、ユーザコマンドとバックグラウンド音声メディア１１０内の現在の識別子とを対応付ける。すなわち、デコーダ１６０は、バックグラウンド音声メディア１１０における識別子の存在を確認し、この識別子を識別し、バックグラウンド音声メディア１１０についての関連情報を取得する。取得される関連情報は、アーティスト名、歌の題名、公表情報（アルバム、サウンドトラック、公演日、公演都市など）および他の類似の音声メディアを含んでもよい。
【００２７】
一実施形態では、デコーダ１６０は、キーとして識別子を使用して関係型データベース（リレーショナルデータベース）にアクセスする。関係型データベースは、例えば、ユーザのケーブルサービスプロバイダのケーブルネットワークサーバ１５０で管理される。ケーブルサービスプロバイダまたはケーブルネットワークを介してアクセス可能な他のサーバもまた好適である。関係型データベースは様々な情報を格納し、さらに、バックグラウンド音声メディア１１０に関連する情報を提供する。関連情報を取得した後、デコーダ１６０は、ディスプレイシステム１０１に対して、他の詳細の中でも特に、関連情報を含むユーザメニューを提示するように指示する。例えば、デコーダ１６０はリモートコントローラ１８０から受信した情報要求をディスプレイシステム１０１に送信する。ディスプレイシステム１０１は、映像１２０および音声１１０（例えばＤＶＤ映画）を一時停止し、ユーザメニューを有する新しい画面をユーザに提供して、音声メディア１１０のような関連製品の購入を容易にする。代替の実施形態では、ディスプレイシステム１０１はオーバーレイ（例えばピクチャ・イン・ピクチャ）であり、映像１２０およびユーザメニューを有する異なる画面をユーザに提供する。ユーザはユーザメニューを操作して、映像１２０を中断することなく、音声メディア１１０のような関連製品の購入を進めることができる。
【００２８】
図２は、本発明の原理に従って、音声データを購入するためのユーザメニュー２３２を示す。具体的には、ディスプレイモニタ１０１はユーザメニュー２３２を提供し、このメニュー２３２は、ディスプレイシステム１０１を通して現在再生しているバックグラウンド音声１１０についての情報を含む。使用にあたって、ユーザは、ディスプレイモニタ１０１上にテレビで放送されているコマーシャル、テレビ番組もしくは映画、またはＤＶＤなどのメディア（総称して参照符号１２０）を見ており、情報ボタン１８２を操作（作動）する。これにより、上述のようにディスプレイシステム１０１上に表示されるユーザメニュー２３２が生じる。表示されたユーザメニュー２３２は、対象音声に関する指示２１４および情報２１６（上述のようにサポートしている関係型データベースから検索されるように）、ならびにユーザ操作に対するオプション（選択項目）２３４、２３６、２３８を提供する。
【００２９】
ユーザメニュー２３２から、ユーザは、情報ボタン１８２を備えたリモートコントローラ１８０を用いて、次の（１）から（４）の操作のうちの少なくとも１つを選択してもよい。すなわち、（１）指示２１４および／または音声の詳細２１６を閲覧する、（２）情報オプション２３４を操作して、他のアーティストまたは表示されたアーティストの他の番組に関する追加情報を要求する、（３）購入オプション２３６を操作して、音声の詳細２１６に記載された音楽のコピーを購入する、（４）リターンオプション２３８を操作して前の画面に戻る、の操作である。ユーザは、リモートコントローラ１８０のボタン１８３（情報ボタン１８２を含む）を押すか作動させることによってオプション２３４、２３６、２３８を選択してもよく、これにより適切なユーザコマンド１８４を発する。
【００３０】
［指示２１４および音声の詳細２１６］
一実施形態では、ユーザメニュー２３２はユーザに指示２１４を表示する。指示２１４は、製品を購入する方法および情報を取得する方法に関する情報を含む。例えば、指示２１４は単に、「以下の歌を購入するには、購入オプションを選択してください」であってもよい。歌のコピーを購入するのをユーザが決定しやすくするため、つまり購入決定を促進するために、ユーザメニュー２３２はまた、対象の音声１１０に関する情報を有する音声詳細部２１６を含んでもよい。例示的な実施形態では、音声の詳細２１６は、以下の情報、すなわち、アーティスト／グループ名、歌の題名、アルバム名、アルバムカバーの画像、レコードラベル、版権情報、価格および入手可能性などの関連情報のうちの少なくともいくつかを含む。音声の詳細２１６はまた、映像１２０に関係するその他の歌（例えば、情報ボタン１８２が押されたときにディスプレイシステム１０１で再生されていた映像１２０におけるその他の音楽）を含んでもよい。音声の詳細２１６を利用することにより、ユーザは十分な情報に基づいた上で決定することができ、その一方で所望の音声を即時に購入することが容易である。すなわち、同一または共通のユーザメニュー・シリーズ（並んでいるユーザメニュー）２３２を介し、かつユーザが元々見ている映像１２０の同一サービスプロバイダを介するからである。
【００３１】
［情報オプション２３４］
情報オプション２３４は、アーティストまたは関連アーティストに関する追加情報をユーザに提供する。使用において、ユーザは情報オプション２３４を起動して、さらなる情報を提供する次の画面ビュー（図示せず）の表示を生じさせる。この画面ビューには、例えば、ユーザメニュー２３２に提示された音声を備えるサウンドトラックの名前、同一アーティストによる他のアルバム、関連する音声、同一ジャンルにおける音声などの連想事項が含まれる。当技術分野で既知の推奨エンジンによってサポートされている推奨（お勧め）領域２１８は、図２のディスプレイ図に示されるような他のメディアの連想事項を表示する。他のメディアの推奨（例えばお勧めメディアを含む購入オプション）について以下に詳述する。情報オプション２３４は、リモートコントローラ１８０などの当技術分野で既知の適切な技術を利用して起動することもできる。
【００３２】
［購入オプション２３６］
ユーザが音声を購入することを決定すると、ユーザは、リモートコントローラ１８０を用いて購入オプション２３６を選択する。購入オプション２３６を選択後、ディスプレイシステム１０１は、販売取引を実行し、ユーザ情報（例えば、課金情報、発送先など）を確認するための追加画面ビューを提供する。本発明のシステムによって、ユーザは、数量、配達方法、支払方法などの入力または選択が可能になる。いくつかの実施形態では、ケーブルサービスプロバイダなどの加入サービスプロバイダにおけるユーザについての記録上の請求書送付先およびユーザアカウントをデフォルトで設定してもよい。この情報は、ケーブルネットワークサーバ１５０などの適切なサーバまたはネットワークから、デコーダ１６０およびディスプレイシステム１０１に利用されてもよい。
【００３３】
取引に必要な情報を収集および表示した後、購入を完了するユーザコマンド１８４を受けると、ディスプレイシステム１０１は、デコーダ１６０に、関連情報（例えば、購入および配達情報）を送信する。次に、デコーダ１６０は関連情報を処理し（すなわち、暗号化、符号化など）、その注文をケーブルネットワークサーバ１５０に転送する。あるいは、デコーダ１６０は、その注文をケーブルネットワークサービスプロバイダによってサポートされているコンピュータネットワーク（例えばインターネット）接続に送出する。送出アドレスは、対象音声１１０についての関係型データベースから検索される関連情報内で指定されたハイパーリンクであってもよい。このように、音声メディアに対する各ハイパーリンク（例えば、版権所有者代理店、販売代理店、他の販売会社などへのハイパーリンク）は関係型データベース内に保持されてもよい。
【００３４】
注文は、インターネットのようなグローバルコンピュータネットワーク上における、またはケーブルサービスプロバイダとのサードパーティー接続における１つ以上のベンダによって受信されてもよい。注文を受信した後、ベンダは注文を処理して、支払いと引き換えにユーザに購入音声メディアを発送する。あるいは、注文が完了すると、ディスプレイシステム１０１またはデコーダ１６０を介して音声メディアのダウンロードをユーザに提供してもよい。一実施形態では、注文を完了すると、その結果、本発明のシステム／ベンダ／ケーブルサービスプロバイダは、（１）購入音声メディアをダウンロードするリンクを含む電子メールメッセージをユーザに送信し、（２）ユーザに携帯型メモリ（例えばコンパクトディスク）に記録された音声メディアのコピーをメールし、（３）適切に使用可能なユーザの装置（例えば携帯電話）に音声メディアのコピーを転送し、または（４）任意の他の適切な方法で音声メディアをユーザに提供する。デコーダ１６０の構成は、デコーダ１６０の外部に格納されたソフトウェアの形態（例えばテレビ、コンピュータまたは他のプロセッサ／処理装置）であってもよい。
【００３５】
ユーザはまたウェブベースのアカウントを使用して、好みのテレビ番組を見ている間に聞いている歌またはアルバムを購入することもできる。ユーザが購入を「選択」すると、リストメニューが現れる。リモートコントローラの１〜２回のクリック（1 to 2 clicks）で、ユーザは、コンピュータネットワークベースのサービスに予め登録されたユーザアカウントを使用して購入を確定する。購入を完了した後、コンピュータネットワークベースのサービスは対応するユーザアカウントに請求書を発行し、ユーザは電子メールを介してリンクを受信し、これにより歌またはアルバムをダウンロードする。
【００３６】
［リターンオプション２３８］
リターンオプション２３８を起動することによって、ユーザは前の画面ビュー（例えば映画１２０）に戻ることができる。例えば、ユーザがユーザメニュー２３２を閲覧しておりリターンオプション２３８を起動すると、ユーザはディスプレイシステム１０１上の映画１２０に戻される。ディスプレイシステム１０１は、様々な形式で取得、格納、または転送された画像（テキストを含む）の目に見える提示および感知される提示（カチッという手ごたえ）を提供できる。最も一般的なディスプレイは視覚メディアにおける情報を動的に表示するように設計されているが、一般には盲目すなわち視力障害者に対する感知ディスプレイは、機械部品を使用し、感知画像（通常テキスト）を動的に更新することによって画像が指により感知されるようにする。
【００３７】
＜ユーザの選択または購入の例＞
図３は、本発明のこれに限定されるわけではない例示的な実施形態による、ディスプレイユニットからの一連の画面ビューを示す図である。ここで、ユーザは、本発明に従ってバックグラウンド音楽の購入または選択を可能にするサービスに加入している。サービスには、無限の数の選択を伴うオプション（例えば、「食べ放題」）および所与の期間中または全体として限定された数の選択を伴うその他のオプションを含む、様々なオプションが含まれている。加入することで、ユーザは、バックグラウンド音楽を購入／選択できる通知、ならびに利用可能なバックグラウンド音楽および関連アイテムに関する情報のプレゼンテーション（提示）を得ることができる。
【００３８】
加入の際に、ユーザは一般に、少なくとも１つの支払い方法および少なくとも１つの配達方法（配信方法）を登録する。ここで、配達方法は、特に購入／選択されたメディアのフォーマットを指定する。例えば、ユーザは、コンピュータへのｍｐ３ダウンロード、電子メールメッセージにｍｐ３のリンクまたは携帯電話もしくは移動通信装置へのダウンロードとして購入／選択されたメディアのコピーを受け取ることを指定してもよい。複数のユーザプロファイルを伴うユーザ加入またはユーザアカウントについては、各ユーザプロファイルが対応する配達方法を有してもよい。
【００３９】
ユーザが映像を見ているとき、画面ビュー３１０に示すように、アイコン３１１が現れてバックグラウンド音楽が購入可能であることを示す。数秒後にメッセージプロンプト３２１が現れて、ユーザがバックグラウンド音楽についてより詳細に知ることができる方法を示す（画面ビュー３２０）。例えば、メッセージプロンプトが「Ｂを押してください。」と示してもよく、ここでのＢは図１および２のリモートコントローラ１８０のボタンである。ユーザとの対話（相互作用）がなくなってから数秒後に、アイコン３１１およびメッセージプロンプト３２１は消える。あるいは、アイコン３１１およびメッセージプロンプト３２１は歌の部分の終了後に消え、次に利用可能な歌が流れるときに再び現れてもよい。
【００４０】
ユーザが歌のコピーを購入することを決定して適切なリモート制御ボタン１８３を相互作用的に操作すると、ディスプレイユニット１０１が画面ビュー３３０におけるような歌の情報３３１を表示する。歌の情報３３１は、歌の題名（例えば“Saca Tu Mujer”）、アーティスト（例えば“Tito Puente Jr．”）および価格（例えば“＄0.99”）を表示してもよい。さらに、ユーザが複数のユーザアカウントまたは複数のプロファイルを伴うユーザアカウントを作成している場合、ディスプレイユニット１０１／ユーザインタフェースは、特定のアカウントまたはプロファイル（例えば「お父さん」、「お母さん」および「子供の名前（Cindy）」）を選ぶようにユーザに促す。ユーザは購入をキャンセルしてもよい。
【００４１】
リモートコントローラ１８０を用いて特定のアカウントを選択した後、ユーザは、画面表示３４０に示すように、パスワードまたは個人識別番号（ＰＩＮ）についてのエントリフォーム３４１を有するプロンプトを受け取る。エントリフォーム３４１は、例えば加入（契約）内の残っている歌の数のようなユーザアカウントに関係する情報を表示してもよい。ＰＩＮまたはパスワードを要求する実施形態では、ユーザがリモートコントローラ１８０を用いてＰＩＮを入力すると、ディスプレイユニット１０１／ユーザインタフェースは画面表示３５０におけるような歌オプション（歌選択）のプロンプト３５１を表示する。図３に示す歌オプションのプロンプト３５１は、ユーザに、歌を即時に購入するオプションおよび再生リスト（プレイリスト）に歌を追加するオプションを提供する。再生リスト上の歌は後日購入されてもよく、所与の期間内に精算を行うかもしくは賃貸されるか、または将来の参照のために単に保存されてもよい。
【００４２】
購入オプションを選択することにより、ユーザには、画面ビュー３６０におけるような購入オプションのプロンプト３６１が提示されてもよい。例えば、図３の購入オプションのプロンプト３６１は、コンピュータ、携帯電話またはデジタル音楽プレーヤなどの適切な装置に、当該の歌のコピーをダウンロードする選択権をユーザに与える。ユーザが携帯電話に歌のコピーをダウンロードすることを選択すると、テキストメッセージが起動するかまたはダウンロードを実行し、取引を完了する。
【００４３】
別の実施形態では、本発明のシステムにより、購入の完了後までユーザにはメディアに関連する情報（例えば歌の題名、アーティスト名）が提示されることなく、メディアのコピーを即時に購入できる。例えば、ユーザは、歌に関する何らかの一般情報を閲覧することなく歌を認識して歌の購入を望むかもしれない。本発明のシステムにより、ユーザは購入要求を発行することで歌を購入できる。この購入処理は、上述のように、ユーザの認識された決済情報を用いて処理される。購入要求が処理された後に、ユーザには、購入メディアに関する情報を含む確認事項、ならびに購入メディアに関連する追加購入についての推奨提案（図２のお勧め２１８のような提案）が提示される。
【００４４】
＜システム装置およびアーキテクチャ＞
図４は、第１メディアのコピーを提供するメディア配信システム４００の例示的な実施形態を示すブロック図である。この第1メディアには、第２メディアが関連付けされている。メディア配信システム４００において、管理サーバ４４０、メディアデータ記憶装置４４４に接続されているメディアサーバ４４２および推奨エンジン４５０が、ネットワーク４２０に接続されている。ネットワーク４２０はまた、ラップトップ４０２、コンピュータ４０４、携帯電話４０６、ディスプレイシステム４０１ａ（例えばテレビ、ディスプレイフレームまたはモニタなどのディスプレイ）および映画館４１０を含む、様々なユーザ装置に接続されている。接続には、無線（例えばＷｉＦｉ）接続４２２、イーサネット（登録商標）接続４２４、セルラー接続（携帯電話接続）４２６、ケーブル接続４２８などが含まれる。ネットワーク４２０は、任意の適切な接続を用いて任意の適切な装置に接続されてもよい。
【００４５】
さらに、管理サーバ４４０はBluetooth（登録商標）対応接続４３０のような適切な接続を用いて、制御ユニット４８０ｂすなわちデコーダ（例えば図１および２のデコーダ１６０）に直接接続されてもよい。制御ユニット４８０ｂは、ディスプレイシステム４０１ｂ上にメディアを表示するデジタルメディアプレーヤ４０８に、通信のために結合される。
【００４６】
ネットワークベースの購入を可能にするために、ユーザは、管理サーバ４４０を介してアクセスされるユーザアカウントを作成する。ここで、ユーザアカウントは、個人識別情報、資金情報、および取引を完了するのに必要な他の情報を含む。ユーザが情報を提供すると、ユーザは自由に本発明のプロセスおよびシステムを使用して、メディアに関する情報を閲覧して購入することができる。ユーザがメディアの購入を完了すると、システムは、後続の取引を途切れることなく完了するように後にユーザが提供した情報を用いてもよい。一実施形態では、決済情報を格納するために、ダウンロード可能なクライアント側ソフトウェアプログラムがユーザのコンピュータ（例えばラップトップ４０２またはコンピュータ４０４）にインストールされ、この情報により、ユーザは決済情報を毎回入力または再入力する必要なく、即時に購入を実行できる。別の実施形態では、ユーザの決済情報は、オンライン音楽データベースウェブサイトに格納され、ユーザがオンライン音楽データベースウェブサイトにログインするとアクセス可能になる。この決済情報は、売買取引を促進するために多くのベンダのサイトによって使用される。これにより、ユーザの決済情報は自動的に使用され、ユーザに過度の負担を負わせることなくリアルタイムで購入を完了する。
【００４７】
さらなる利便性のために、メディア配信システム４００は、オンライン音楽ストアのような第１ウェブサイトへのログインをユーザが維持できる、ダウンロード可能なクライアントプログラムを提供する。第１ウェブサイトを利用するために、ユーザは銀行口座／インターネット決済情報、他の決済情報、または、ユーザが製品もしくはアイテムの即時の購入を望む場合に使用するための他の売買取引情報（例えば郵送先住所）を提供する。例えば、ユーザが第２ウェブサイト上で映像を見ており、その際に、本発明のシステム４００が、ユーザが見ている映像に関係する購入可能な歌（その歌におけるＩＤを使用して）をユーザに知らせる。この場合、ユーザは、その歌を購入する要求を作成し、これにより、システム４００は、歌を即時にダウンロードし、第１ウェブサイトからの購入情報を用いて支払いを完了する。このようにして、ユーザは、支払または他の売買取引情報を入力する必要なく、リアルタイムで歌を購入できる。
【００４８】
一実施形態では、管理サーバ４４０は、ユーザに対して、歌の題名およびアーティスト名を特定することにより、歌のダウンロード要求を確認するように求める。しかし、他の実施形態では、歌をダウンロードする前にユーザには確認が提示されない。歌および／または映像は一般に識別子またはタグを含むので、その歌および／または映像が購入可能であるとシステム４００は識別できる。さらに、タグ付けまたは識別子の使用の詳細を以下に説明する。
【００４９】
メディア配信システム４００は、様々なチャネルのうちの任意の１つを使用して、ユーザに音声および映像のデータを提供できる。例えば、ディスプレイシステム４０１ａ上でＴＶ番組を見ているユーザは、上述したように、かつ図１〜３に示したように、制御ユニット４８０ａを用いて歌のコピーを購入または選択できる。さらに、ＤＶＤ（または、ＣＤ、ＣＤ‐ＲＯＭまたはＶＨＳテープなどの適切なローカル記憶メディア）上で番組を見ているユーザもまた映像のコピーを購入できる。例えば、ＤＶＤプレーヤ４０８上で再生する適切に符号化されたＤＶＤがディスプレイユニット４１０ｂ上のインジケータ１３０、３１１を起動する場合、ユーザは、管理サーバ４４０と直接通信するために結合された制御ユニット４８０ｂを用いて、関連する歌のコピーを購入または選択できる。
【００５０】
図４に示す実施形態では、メディア配信システム４００はまた、フィルムからデジタルメディアへの映画産業の移行を利用する。これらデジタルメディアは、ネットワーク、ハードドライブ、ＤＶＤまたは衛星を介して配信され、またフィルムプロジェクタの代わりにデジタルプロジェクタを使用して映写される。デジタルメディアには、フィルム製造中に追加される可能性のある、音声のアーティスト情報のような情報の追加の層を含めることができる。さらに、映画はクレジットにサウンドトラック情報を一覧表示しているため、音声アーティスト情報は撮影後の編集段階またはそれよりも後の段階（そして、場合によってはさらにリアルタイムの段階）において追加できる。特定の実施形態では、本発明は、追加の情報の層を使用して１つ以上のメディア／アイテムを識別し、また場合によっては追加情報をデータベースと相互参照して閲覧者への推奨情報を生成する。このような閲覧者としては、情報または推奨に関連するメディアのコピーを購入できる者である。
【００５１】
例えば、映画館４１０において短い映画、映画の予告編および広告を含むプレビューから開始する映画を見る閲覧者を想定する。閲覧者はプレビューまたは特集映画を見て、閲覧者にはプレビューまたは映画に関連するバックグラウンド音楽が購入可能であることが通知される。典型的な通知には、映画のスクリーンの一部に現れるグレーの音符記号、アイコンまたは同様の表示物つまり印（indicia）、スクリーンに現れるテキスト番号（例えば短いメッセージサービス（ＳＭＳ））、移動装置からの通知、および閲覧者の携帯型音楽プレーヤ装置に現れるか音を出す音符インジケータが含まれる。
【００５２】
閲覧者は、携帯電話（メディア装置）４０６のような適切な装置および管理サーバ４４０によって維持されるユーザアカウントを使用して、当該歌のコピーを購入または選択することができる。映画のサウンドトラックの歌が購入可能である場合、管理サーバ４４０はユーザの携帯電話４０６にＳＭＳメッセージを送信する。ユーザが歌のコピーを選択または購入する場合、メディアサーバ４４２は、メディアデータ記憶装置４４４からユーザの携帯電話または適切に使用可能な装置に、コピーを送信する。ユーザはまた第１メディアのコピーをラップトップ、デジタルメディア（すなわちｍｐ３）プレーヤまたはパーソナルコンピュータなどの任意の適切な装置に後にダウンロードしてもよい。
【００５３】
いくつかの実施形態では、コンピュータネットワークベースのサービスは、携帯電話４０６または適切に使用可能なデジタル音楽プレーヤなどの無線装置に直接歌またはアルバムのコピーを転送してもよい。例えば、ユーザは、ウェブベースのアカウントを作成または登録する場合、携帯電話４０６の番号を入力する。その後、ユーザが歌を選択または購入すると、コンピュータネットワークベースのサービスは、登録された携帯電話に直接歌のコピーを転送する。
【００５４】
ユーザはまた、他の場所においてメディアを閲覧する場合、携帯電話４０６を使用してもよく、場合によってはＳＭＳテキストメッセージを管理サーバ４４０に送信することにより、対象メディアのコピーを選択または購入する。例えば、空港、スーパーマーケット、オフィスビルまたは飛行機などの公衆がアクセス可能なスクリーン上に映像が表示されている環境におけるユーザを想定する。空港のラウンジにいるユーザが、ラウンジのＴＶ上の映像のバックグラウンド音楽を聴いて、バックグラウンド音楽のコピーを購入することを決めるとする。ユーザは、管理サーバ４４０または適切なプロクシサーバにテキストメッセージを送信する。この場合のテキストメッセージは所望の歌を識別するのに十分な情報を含む。例えば、図１のインジケータ１３０の表示と同様に、バックグラウンド音楽が始まると、ＴＶは番号を表示するかもしれない。他の実施形態では、無線（例えばBluetooth）ネットワークがユーザの携帯電話４０６に直接情報を結合するかもしれない。これにより、ユーザは正確なバックグラウンド音楽を選択または購入できる。
【００５５】
ユーザはまた、ネットワーク４２０（インターネットであるか、またはインターネットに接続されていてもよい）を介してストリーミングまたはダウンロードされる映像のバックグラウンドにおいて再生する歌を購入することができる。例えば、ユーザは、ラップトップ４０２、コンピュータ４０４または携帯電話４０６などのネットワーク４２０に接続された適切に使用可能な装置でストリーミング映像を見てもよい。多くの場合、データストリームは、関係型データベース（図示せず）からの映像に関するインデックス情報を含む。これにより、このインデックス情報により、ユーザおよび閲覧者は映像のようなメディア作品を検索できる。
【００５６】
音声コンテンツに関連するメタデータによって、ユーザは音声コンテンツのコピーおよび／または関連アイテム／サービスを購入または選択できる。例えば、推奨エンジン４５０は、同一アーティストによる他の歌、同一アーティストによるアルバム、類似のアーティストによる歌、類似のアーティストによるアルバム、コンサートチケット、書籍、ＤＶＤ、クラブの会員、ウェブサイトへの加入、雑誌および音楽クラブなどに関する推奨をユーザに提供してもよい。ユーザはまた、選択した音楽を購入し、および／またはユーザのコンピュータ、デジタル音楽プレーヤ、ＭＰ３使用可能携帯電話、他の移動通信装置などに自動的にダウンロードしてもよい。一実施形態では、推奨エンジン４５０は一般に第１メディアをいくつかの参考特性と比較する。推奨エンジン４５０は、当該ユーザから収集したデータを他のユーザから収集した類似のデータと比較する、コンテンツベースの方法を用いてもよく、対象であるユーザ／閲覧者について、推奨されたアイテムのリストを算出してもよい。
【００５７】
任意の時点において、推奨エンジン４５０は、場合によっては管理サーバ４４０と協働して作用し、ユーザ自身の音楽の好みまたは他の好みに関するユーザの意見を求めてもよい。管理サーバ４４０はまた、メディア配信システム４００の使用に関する調査をユーザに求めてもよい。これらの調査に基づいて評価を集計して、システムの有効性を判定することができる。調査および評価は、ユーザ生成識別（ユーザによって生成された識別（user-generated identification））および関連プロセスの質の改善においてシステムを支援する。
【００５８】
図５は、第２メディアに関連する第１メディアをタグ付け、配信および表示する代わりのメディア配信システム５４０を示す。ポストプロダクション（撮影後の編集）設備５４６は、映像サウンドトラックからの歌が購入可能である時点を示すために、映像にキュー（合図）を追加する。一実施形態では、キューは、ＳＣＴＥ（ＣＡＴＶ通信技術者協会（Society of Cable Telecommunications Engineers））３５規格に適合するものであり、アナログのキュートーンに相当するデジタルのキュートーンである。アナログシステムでは、第１キュートーンによりテーププレーヤがテープを再生し、第２キュートーンによりテーププレーヤはテープの再生を停止する。ＳＣＴＥ３５規格に適合するシステムのようなデジタルシステムでは、キューはスプライサ（接続手段）とサーバと間の通信を起動し、これによりデジタルプログラムストリームへのコンテンツの挿入が可能になる。キュートーンが追加されると、ポストプロダクション設備５４６は放送会社のネットワーク運営センタ５４２に注釈付きの映像を転送する。運営センタ５４２では、衛星のアップリンク５４４または他の通信リンクを介してケーブル・ヘッドエンド５６０に映像をアップロードする。
【００５９】
ケーブル・ヘッドエンド５６０は、ＳＣＴＥ３５リスナ５６２を使用してキューについて映像を監視する。リスナ５６２がキューを検出すると、リスナ５６２はパッケージャ５６４に信号を送り、パッケージャ５６４はＥＢＩＦ（enhanced TV binary interchange format）プロクシサーバ５５０からの追加情報を要求する。プロクシサーバ５５０はシステムフロントエンド・アンド・データ記憶装置（システムフロントエンドおよびデータ記憶装置）５５２の関連情報を検索し、次に、ネットワーク５３０および２方向コンジット５６６を介してパッケージャ５６４に情報を送る。得られた映像および歌の情報は、メディアキャスト（mediacast）および／または多重化ツール５６８に供給される。多重化ツール５６８は、得られた映像製品をローカル・ヘッドエンド５７０に転送する。
【００６０】
ローカル・ヘッドエンド５７０は、セットトップ・ボックス（ＳＴＢ）５７２およびリモートコントローラ５７４に接続され、次にディスプレイユニット５９０に接続される。ＳＴＢ５７２およびリモートコントローラ５７４の両方は、双方向のＥＢＩＦアプリケーション５８２、ＭＡＣ（メディアアクセスコントローラ（media access controller））のようなＥＢＩＦユーザエージェント５８４、モニタ／マスタアプリケーション５８６およびネイティブ・オペレーティングシステム５８８を含む、様々なクライアントソフトウェア５８０を使用する。モニタ／マスタアプリケーション５８６およびネイティブ・オペレーティングシステム５８８はＳＴＢ５７２の基本動作を管理する。ＥＢＩＦアプリケーション５８２は１つ以上のＥＢＩＦリソースを含むリソースのグループであり、ＥＢＩＦリソースはページ形式の目に見える情報を表す。ＥＢＩＦユーザエージェント５８４は、閲覧者にマルチメディアページを提示するために、ＥＢＩＦリソースに含まれる命令を取得し、解読し、提示し、実行する。さらに、ＥＢＩＦアプリケーション５８２およびＥＢＩＦユーザエージェント５８４は、対話形式つまり相互作用形式を提供して、ユーザが歌のコピーを選択することを可能にする。
【００６１】
ＳＴＢ５７２はディスプレイユニット５９０を通してユーザに映像を提示し、インジケータが適切な位置に現れて、サウンドトラックの一部が販売用である（またはシステム内での購入である）ことを示す。ユーザはＳＴＢ５７２およびリモートコントローラ５７４を用いて所望の歌を購入する。ＳＴＢ５７２およびリモートコントローラ５７４は、ローカル・ヘッドエンド５７０からリレーを介して、フロントエンド５５２、ケーブル・ヘッドエンド５６０、２方向コンジット５６６、ネットワーク５３０、およびプロクシサーバ５５０に適切な情報を送信する。
【００６２】
＜歌のコピーを購入する方法の例＞
図６は、本発明の実施形態（例えばメディア配信システム４００、５４０およびディスプレイシステム１００）に従って、音声データを購入するプロセス６５０を示すフロー図である。プロセス６５０は、ユーザがＴＶまたはディスプレイシステム１０１、４０１ａ、４０１ｂ、４０２、４０４、４０６、４１０を見ていることから始まる（および終了する）（ステップ６８０）。トリガーによって（ステップ６５１）、ディスプレイは、ユーザに対して音符プロンプトまたは他の適切なインジケータ１３０、３１１を表示し（ステップ６５２）、ＴＶ番組で提示されている音声コンテンツが、ここで購入可能である場合は販売中であることを示す。ユーザがプロンプト１３０、３１１を拒否する（画面から消す）か、またはプロンプトがタイムアウトする場合、プロセス６５０は「ＴＶを見る」に戻る（ステップ６７８および６８０）。この処理の代わりに、ユーザが、制御ユニット１８０、４８０ａ、４８０ｂ、４０２、４０４、４０６上の情報／購入ボタン１８２を選択すると、プロセス６５０は、題名、アーティスト名および価格などの歌のメタデータを抽出し（ステップ６５４）、次にメニューをユーザに提示する（ステップ６５６）。この時点において、ユーザはメニューオプションを選択して、歌を購入するかまたは「テレビを見る」に戻ることができる（ステップ６８０）。
【００６３】
ユーザが歌を購入するオプションを選択すると、プロセス６５０は、そのアカウントのユーザの数を確認する（ステップ６５８）。複数のユーザについては、プロセス６５０は、ユーザに対してプロファイルを選択するかまたはキャンセルするかを質問してから（ステップ６６２）、購入を確定する（ステップ６６２）。単一ユーザのアカウントについては、歌を購入する決定が、確認６６２したことに直接つながる。ユーザアカウントが存在しない場合、プロセス６５０は、続行する前に、ユーザにアカウントを作成するように促す（ステップ６７２）。いくつかの実施形態では、ステップ６７２においてユーザアカウントの設定を完了すると、ユーザを「テレビを見る」に戻す（ステップ６８０）。他の実施形態では、ユーザは、アカウントの設定後に即時に歌を購入できる。
【００６４】
歌を購入するユーザに対して（ステップ６６２）、購入を確認するために、ＰＩＮ要求（ステップ６６４）および後続のＰＩＮ検証（ステップ６６６）に導いてもよい。ＰＩＮ検証（ステップ６６６）が、ユーザが有効なＰＩＮを入力したことを示すと、プロセス６５０は、場合によっては歌のコピーへのリンクを含む電子メールをユーザに送信することにより、取引を遂行することをバックエンドに通知する（ステップ６６８）。代替の実施形態は、ユーザの携帯電話４０６、音声プレーヤ、移動通信装置デジタルメディアプレーヤ、またはこのような通信用に構成された他の装置４０２、４０４に、歌のコピーを送信する。取引を完了後、プロセス６５０は、ユーザに確認を送信し（ステップ６７０）、次にユーザを「テレビを見る」に戻す（ステップ６８０）。
【００６５】
ステップ６６６においてＰＩＮが無効である場合、プロセス６５０は、ユーザにＰＩＮを再入力するように促す（ステップ６６４）。無効のＰＩＮが多数回入力されると、ユーザアカウントをロックし、ユーザを「テレビを見る」に戻す（ステップ６８０）。
【００６６】
＜音声データタグ付けプロセス＞
映画やテレビプログラムなどの映像製品（映像作品）に関しては、一般に、映像（画像）データの１つのトラックまたはレイヤ、前景または主部分についての音声データの１つのトラックまたはレイヤ（例えば登場人物のスピーチ）、バックグラウンド音声についての別の音声トラックまたはレイヤ（例えばバックグラウンド音楽）、および特殊な音響効果（例えば割れるガラス、雷、発砲など）についてのさらなる音声トラックまたはレイヤが存在する。また、視覚的な効果およびクローズドキャプションについての追加のトラックまたはレイヤが存在してもよい。このように、メディア作品は複数のデータのストリーム、トラックおよび／またはレイヤから構成され、これらストリーム、トラック、レイヤはそれぞれ、転送、符号化およびデータの完全性（無損失性）維持を容易にするためのそれぞれの技術を用いてフォーマットされ、デジタル的に表示される。
【００６７】
音声データのデジタル表現では、音声信号の表現はもはや、音波に直接類似していない。代わりに、信号の値は、アナログデジタルコンバータ（ＡＤＣまたはＡ／Ｄ）によって一定間隔でサンプリングされ、ＡＤＣは各サンプルの値を表す数値（数字）を生成する。得られた数値のストリームは、音声信号をデジタル形式で表し、コンピュータ（または電子）ファイルとして格納される。一般に、デジタル化された信号はパケットに分割され、パケットはそれぞれ、信号の種類、信号の宛先および信号自体に関する情報を含む。これらのパケットは、ケーブルＴＶネットワークまたはグローバルコンピュータネットワーク（例えばインターネット）などのネットワークを介して、デコーダ１６０、セットトップ・ボックス５７２、コンピュータ４０２、４０４、携帯電話４０６またはユーザにデータを提示する他の適切に使用可能な装置などのユーザ装置に送信できる。
【００６８】
図７Ａは、図１〜５の本発明のシステムのいずれかにおいて採用される一般的データフォーマット７００の図である。具体的には、データフォーマットはパックヘッダ７０５および一連のフォーマットされたパケット７１０を含む。各パケット７１０は、パケット開始コード７１２およびその後に続くパケットヘッダ７１４でフォーマットされている。パケットデータ７１５と、音声データをタグ付けする識別子７２０とが、各パケットヘッダ７１４に続く。図１および２のデコーダ１６０ならびに図５のセットトップ・ボックス５７２およびリスナ５６２が音声データを識別できるようにするために、図５のポストプロダクション設備５４６のような装置が、識別子７２０で音声データをタグ付けする、つまり音声データと識別子７２０を有効に結合する。この識別子７２０は、デコーダ１６０またはリスナ５６２によって後に参照されることができる。識別子７２０はタグ付けされている音声データを明確つまり一義的に識別つまり特定する。音声データを明確に識別することにより、図１および２のデコーダ１６０または図５のパッケージャ５６４は、識別子を用いて音声データに関する関連情報を（例えば関係型データベースから）取得する。音声データのタグ付けは、一般的な技術または既知の技術を利用して、例えば、音声編集ソフトウェアを使用してなされてもよい。このように、音声データは図１および２のデコーダ１６０によって特定されてもよく、上述のようにユーザがディスプレイを介して音声データを購入できるようにしてもよい。
【００６９】
デジタルデータフォーマットの別の例は、視聴覚情報（例えば映画、映像、音楽）についての規格のＭＰＥＧ（動画像エクスパートグループ（Moving Picture Experts Group））ファミリである。現在、ＭＰＥＧ‐２が動画およびそれに付随する音声の情報の符号化のための共通規格である。さらに、ＭＰＥＧ‐２は、地上波（無線による）、ケーブルおよび直接放送衛星テレビシステムによって放送される、デジタルテレビ信号フォーマットを規定するために広く使用されている。ＭＰＥＧ‐２はまた、ＤＶＤなどのディスク上で配信される映画や他のプログラムのフォーマットを規定する。ＭＰＥＧ‐２規格はまた、テキストおよび他のデータ（例えば、映像および音声のデータストリームに加えられるべきテレビ閲覧者に対する番組ガイド）の格納および転送を可能にする。テレビ放送局、テレビ受信機、ＤＶＤプレーヤおよび他のデジタルデータ装置は一般にこの規格に準拠して設計されている。
【００７０】
図７Ｂは一例であるＭＰＥＧ‐２のマルチプログラムトランスポートストリーム７５０のブロック図である。一般に、マルチプログラムトランスポートストリーム７５０は、エレメンタリストリームおよびパケット化エレメンタリストリーム（ＰＥＳ）をサポートする。典型的なエレメンタリストリームは、他のデータ７６２、ＭＰＥＧ映像エレメンタリストリーム７６４、およびＭＰＥＧ音声エレメンタリストリーム７６６を含む。パケット化ストリームは、ＭＰＥＧ‐２プログラムストリーム７６８、ＭＰＥＧ‐２ＰＥＳ７７０、およびＭＥＰＧ‐２プログラム特定情報（ＰＳＩ）７７２をサポートする。ＰＳＩ７７２は、現在時刻およびデータが解読されてユーザに提示されるべき時刻を特定する、タイムスタンプのようなデータに関する情報を含む。ＭＰＥＧ‐２トランスポートストリーム７７４は、パケット７７５としてこれらのエレメンタリストリームおよびＰＥＳを搬送する。
【００７１】
各パケット７７５はヘッダ７７６およびペイロード７７８を含む。ヘッダ７７６はデータに関する情報を含み、ペイロード７７８はデータである。ヘッダ７７６の最も重要な部分の１つはパケット識別子（ＰＩＤ）７８０であり、この識別子はペイロード７７８を映像データ、音声データなどとしてマーク付けする、すなわちペイロード７７８がいずれのデータであるかを示している。例えば、３つの異なるパケット７７５が、映像データ、音声データおよび歌情報を含んでもよい。各ＰＩＤ７８０は、音声データを有するパケットおよび歌情報を有するパケットを識別するために使用でき、ＰＳＩ７７２は、各パケット７７５の情報を解読および提示する時刻を決定するために使用される。
【００７２】
図８は、本発明の音声データタグ付けプロセス８００のフロー図である。随意のステップ８０５では、プロセス８００は、ユーザに映像のような第２メディア７７４を再生する。次に、ステップ８１０では、プロセス８００は、第２メディア７７４に関連する音声データファイル内のアーティストおよび題名情報を識別する。ステップ８１５では、プロセス８００は、ステップ８１０において取得されたアーティスト／題名の情報によって形成される識別子を音声データにタグ付けするか、またはこの識別子を音声データに効果的に結合する（関連付ける）。例えば、プロセスステップ８１５は、ＭＰＥＧ音声エレメンタリストリーム７６６を含むパケット７７５のヘッダ７７６の識別子でＰＩＤ７８０をマーク付けする。音声データのタグ付け／マーク付け後に、プロセス８００は、ステップ８２０において、メディアストリーム７７４、７５０の転送中に音声データパケット７７５の識別子（ＰＩＤ７８０）へのアクセスを可能にする。
【００７３】
他の実施形態は、映像におけるバックグラウンド音楽をタグ付けまたは特定するために既存の歌識別技術を使用する。例えば、歌は、”DigiDesign”によって作成された”Pro Tools”というデジタル音声ワークステーションについてのプラグインを使用してタグ付けされる。このデジタル音声ワークステーションは、音楽製品、フィルムの楽譜、テレビおよびポストプロダクションにおいて記録および編集を行う。プラグインは、GracenoteのMedia Recognitionサービスまたはデータベースに問い合わせることにより映像中のバックグラウンド音楽を特定する他の適切なアプリケーションなどのネットワークベースのサービスにアクセスする。
【００７４】
図９は、本発明に従って、映像プログラム１２０においてバックグラウンド音楽１１０を識別してタグ付けする、例示の自動キューシートジェネレータ９００を示す。中央処理ソフトウェア９０２には、バックグラウンド音声（例えば歌）１１０および対応する時間コード９２０を含む、映像プログラム１２０に関係する情報が供給される。中央処理ソフトウェア９０２は、音楽ライブラリ９０６に問い合わせるために、使用許可されたGracenoteアプリケーションのような音声識別システム９０４を使用する。音声識別システム９０４は、歌の題名、アーティスト名、アルバムの題名などを含むバックグラウンド音声１１０に関する情報を中央処理ソフトウェア９０２に返送する。中央処理ソフトウェア９０２は返送された情報を用いて映像プログラムキューシート９１０を生成する。この映像プログラムキューシート９１０は、映像プログラム１２０についての時間情報９１２ａ〜９１２ｅおよびこれらにそれぞれ対応する音楽情報９１４ａ〜９１４ｅを含む。
【００７５】
好ましい実施形態では、タグ付け／識別システムは、Gracenoteシステムに問い合わせるPro Tools９０２についてのプラグイン９０４を使用して、映像プログラム１２０中のバックグラウンド音楽１１０に識別子を効果的に結合する。プラグインを使用するために、ユーザは最初にPro Tools９０２の音楽部分（音楽ステム）にプラグインを挿入する。ユーザは次に、プログラムの題名、プロデューサ、エピソード番号／題名、俳優名などを含む、映像プログラム１２０に関する情報を入力する。ユーザが映像プログラム１２０にバックグラウンド音楽１１０を追加する際には、ユーザは対応するファイルをプラグイン９０４にドラッグアンドドロップする。このプラグイン９０４は、歌の情報についてのGracenoteから使用許可されたアプリケーションを用いて、音楽データベース９０６に問い合わせる。
【００７６】
ユーザが映像プログラム１２０をミックス（mix）すると、プラグインは、時間コード９２０および音声１１０を監視し、音声／音楽１１０の各部分に対して開始および停止時間を含む時間情報９１２ａ〜９１２ｅを備えるキューシート９１０を生成する。プラグイン９０４はまた、特定の歌などを識別する際に音声コンテンツに対して利用可能なメタデータを使用して精度を改善してもよい。場合によっては、プラグイン９０４がバックグラウンド音楽を識別できないこともある。この理由は、音楽が映像プログラム１２０用に構成されている場合、ストックキューのライブラリからのものである場合、または音楽データベース９０６内に格納されるには新しすぎる場合などがあるためである。ミックスの終了後、ユーザはプラグイン９０４を開き、次に任意の未確認の歌１１０を手動で識別して、手動入力される情報を用いて音楽データベース９０６を更新する。ユーザはまた、正確さを期すために、自動生成時間コード９１２ａ〜９１２ｅおよび音楽情報９１４ａ〜９１４ｅを再検討してもよい。
【００７７】
上記の説明はＭＰＥＧフォーマットを参照しているが、本発明は、デジタルまたはアナログの任意の音声データフォーマットに使用できる。例えば、本発明の原理は、ＭＰＥＧ‐１、ＭＰＥＧ‐３、ＷＡＶ、ＡＩＦＦなどにおいて使用できる。本発明の原理はまた、ＭＰＥＧ‐３のような損失の大きい（不可逆の）フォーマットに加えて、ＡＬＡＣ（Apple Lossless Audio Codec）のような無線損失の（可逆の）フォーマットに使用できる。
【００７８】
さらに、第１メディア（例えば音声データ）および第２メディア（例えば映像データ)はコンピュータ可読メモリ、例えば、半導体メモリ、固体メモリ、フラッシュメモリ、磁気テープ、着脱可能なコンピュータディスケット、ランダムアクセスメモリ（ＲＡＭ）、読み出し専用メモリ（ＲＯＭ）、デジタル映像ディスク（ＤＶＤ）、コンパクトディスク（ＣＤ）、ＣＤ‐ＲＯＭ、ホログラフィックメモリ、ハードディスク（固定磁気ディスク（rigid magnetic disk））、およびこれらの任意の組み合わせに格納されてもよい。同様に、第１および第２のメディアは、ケーブルネットワーク、衛星ネットワーク、コンピュータネットワーク、光（光ファイバを含む）ネットワーク、無線ネットワーク、およびこれらの任意の組み合わせを含む、ネットワークの任意の１つまたは組み合わせを介して配信されてもよい。第１および第２のメディアは、移動電話、携帯電話、デジタルメディアプレーヤ、テレビ、コンピュータディスプレイ、デジタルフレームおよびこれらの任意の組み合わせを通してユーザに提供されてもよい。
【００７９】
第１メディア、第３メディアなどの購入されたコピーは、これらに限定されるわけではないが、例えば、携帯電話、移動通信装置、デジタルメディアプレーヤ、コンピュータ、ラップトップおよびこれらの混成体（ハイブリッド）などの装置の任意の１つまたは組み合わせにダウンロードされてもよい。コピーをダウンロードすることに加えてまたは代替として、購入されるコピーまたはそれのインジケータ（指示、ポインタ）が、再生リスト、データ記憶装置またはユーザがアクセス可能な他の場所に追加されてもよい。購入される歌のコピーのインジケータおよびリンクはまた、データ記憶装置内で索引付けされるか、メモリに保存されるか、またはウェブサイトに表示されてもよい。
【００８０】
図中の各要素は、ソフトウェア、ハードウェアまたはファームウェアで実現されてもよい。さらに、図中の各要素は、任意の方法でソフトウェア、ハードウェア、またはファームウェアに組み合わされるか、または分割されてもよい。ソフトウェアで実現される場合、ソフトウェアは、本明細書で開示した実施形態をサポートできる任意の言語で記述されてもよい。ソフトウェアは、任意の形態のコンピュータ読取り可能媒体、例えば、ランダムアクセスメモリ（ＲＡＭ）、読み出し専用メモリ（ＲＯM），コンパクトディスク読出し専用メモリ（ＣＤ‐ＲＯＭ）などに格納されてもよい。動作中において、汎用または特定用途向けプロセッサが、当技術分野で既知の方法でソフトウェアをロードし、実行する。
【００８１】
様々な実施形態および実現形態に対するユーザインタフェースが、ディスプレイのサブシステムに対するリモート（または他の）コントローラ、デジタルメディアプレーヤに対するリモート（または他の）コントローラ、デジタルプロセッサ／ラップトップ／コンピュータ／ノードに対する様々な入力／出力（Ｉ／Ｏ）装置、移動電話、同様の移動通信装置、およびこれらの組み合わせおよび混成体（ハイブリッド）を含む同様の装置によって、適用されてもよい。
【００８２】
本発明を、好ましい実施形態を参照して詳細に示し、説明してきたが、添付の請求項に包含される本発明の範囲から逸脱することなく形態および細部における様々な変更がなされてもよいことが、当業者であれば理解されるであろう。
【００８３】
例えば、上述の実施形態は、本発明のユーザにとって興味のある対象メディア（第１メディア）である、映像作品のバックグラウンドのサウンドトラックまたは一部を備える映像作品のプレゼンテーション（提示）を開示している。本発明は、第１／対象メディアが本発明により選択可能にされるとき、対応または関連する映像を備える第２メディアとして、音楽つまり音声作品（聴覚作品）に適用可能である。
【符号の説明】
【００８４】
１１０  第１メディア
１２０  第２メディア
１３０  インジケータ
【図１】
2010532519.tif 000003
【図２】
2010532519.tif 000004
【図３】
2010532519.tif 000005
【図４】
2010532519.tif 000006
【図５】
2010532519.tif 000007
【図６】
2010532519.tif 000008
【図７Ａ】
2010532519.tif 000009
【図７Ｂ】
2010532519.tif 000010
【図８】
2010532519.tif 000011
【図９】
2010532519.tif 000012
【国際調査報告】
2010532519.tif 000013
2010532519.tif 000014
2010532519.tif 000015
2010532519.tif 000016
2010532519.tif 000017